(57)【要約】【課題】形状や幅寸法に制約を伴うことなく、且つ、清掃性や意匠性を害することなくシンク用スタンドを簡単に取り付けることができるシンク用スタンドの取付構造を提供すること。【解決手段】シンク１に取り付けられた洗剤ポケット（収納ボックス）４とは別体に構成されたまな板立て（シンク用スタンド）６を前記洗剤ポケット４に取り付けるための構造として、前記まな板立て６に、一端が自由端を成す平行な２本の金属支柱７ｃを設け、該金属支柱７ｃの互いに離間する方向の弾性復元力によってまな板立て６を前記洗剤ポケット４に着脱可能に取り付ける構造を採用する。より具体的には、前記まな板立て６の各金属支柱７ｃに平面視Ｓ字状のフック１０を取り付け、該フック１０を前記洗剤ポケット４の互いに平行な２本の金属縦棒４ｂに内側から係止させることによってまな板立て６を洗剤ポケット４に着脱可能に取り付ける。【選択図】図２
2008008062.tif 000002
【特許請求の範囲】
【請求項１】
シンクに取り付けられた収納ボックスとは別体に構成されたシンク用スタンドを前記収納ボックスに取り付けるための構造であって、
前記シンク用スタンドに、一端が自由端を成す平行な２本の金属支柱を設け、該金属支柱の互いに離間する方向の弾性復元力によってシンク用スタンドを前記収納ボックスに着脱可能に取り付けることを特徴とするシンク用スタンドの取付構造。
【請求項２】
前記シンク用スタンドの各金属支柱に平面視Ｓ字状のフックを取り付け、該フックを前記収納ボックスの互いに平行な２本の金属縦棒に内側から係止させることによってシンク用スタンドを前記収納ボックスに着脱可能に取り付けることを特徴とする請求項１記載のシンク用スタンドの取付構造。
【請求項３】
２つの前記フックの間隔を、該フックが係止される前記収納ボックスの２本の金属縦棒の間隔よりも大きく設定したことを特徴とする請求項２記載のシンク用スタンドの取付構造。
【請求項４】
前記シンク用スタンドの各金属支柱に、前記シンクの開口部周縁の一部に嵌合する保持部材を取り付けたことを特徴とする請求項１〜３の何れかに記載のシンク用スタンドの取付構造。
【請求項５】
前記シンク用スタンドは、前記金属支柱を含む金属棒を屈曲成形され、まな板を保持すべき凹部を形成して成るまな板立てであることを特徴とする請求項１〜４の何れかに記載のシンク用スタンドの取付構造。
【発明の詳細な説明】
【技術分野】
【０００１】
本発明は、シンクに取り付けられた洗剤ポケット等の収納ボックスにまな板立て等のシンク用スタンドを取り付けるための構造に関するものである。
【背景技術】
【０００２】
キッチン流し台のシンクには洗剤ポケット等の小物入れ、まな板立て等のスタンドが着脱可能に取り付けられるが、これらの小物入れやスタンドの取付構造として例えば特許文献１に提案がなされている。
【０００３】
即ち、特許文献１において提案されている取付構造は、シンク本体の後壁面に膨出部を形成し、この膨出部の上端に連続したシンクの後側段縁部に一対のピンを所定の間隔を設けて突設し、該ピンに小物入れやまな板立てを係脱可能に係止することを特徴としている。
【特許文献１】特開２００１−２１４４８６号公報
【発明の開示】
【発明が解決しようとする課題】
【０００４】
しかしながら、上記特許文献１に提案されている取付構造においては、シンクの後側段縁部に一定の間隔で突設された一対のピンに小物入れやまな板立てを係止する構成が採用されているため、小物入れやまな板立ての形状と幅寸法に制約を伴うとともに、ピンがシンクの上面に突出するために清掃性及び意匠性が悪いという問題があった。
【０００５】
本発明は上記問題に鑑みてなされたもので、その目的とする処は、形状や幅寸法に制約を伴うことなく、且つ、清掃性や意匠性を害することなくシンク用スタンドを簡単に取り付けることができるシンク用スタンドの取付構造を提供することにある。
【課題を解決するための手段】
【０００６】
上記目的を達成するため、請求項１記載の発明は、シンクに取り付けられた収納ボックスとは別体に構成されたシンク用スタンドを前記収納ボックスに取り付けるための構造として、前記シンク用スタンドに、一端が自由端を成す平行な２本の金属支柱を設け、該金属支柱の互いに離間する方向の弾性復元力によってシンク用スタンドを前記収納ボックスに着脱可能に取り付ける構造を採用したことを特徴とする。
【０００７】
請求項２記載の発明は、請求項１記載の発明において、前記シンク用スタンドの各金属支柱に平面視Ｓ字状のフックを取り付け、該フックを前記収納ボックスの互いに平行な２本の金属縦棒に内側から係止させることによってシンク用スタンドを前記収納ボックスに着脱可能に取り付けることを特徴とする。
【０００８】
請求項３記載の発明は、請求項２記載の発明において、２つの前記フックの間隔を、該フックが係止される前記収納ボックスの２本の金属縦棒の間隔よりも大きく設定したことを特徴とする。
【０００９】
請求項４記載の発明は、請求項１〜３の何れかに記載の発明において、前記シンク用スタンドの各金属支柱に、前記シンクの開口部周縁の一部に嵌合する保持部材を取り付けたことを特徴とする。
【００１０】
請求項５記載の発明は、請求項１〜５の何れかに記載の発明において、前記シンク用スタンドは、前記金属支柱を含む金属棒を屈曲成形され、まな板を保持すべき凹部を形成して成るまな板立てであることを特徴とする。
【発明の効果】
【００１１】
請求項１記載の発明によれば、シンクの上面に突設された一対のピンにシンク用スタンドを係止させる従来の取付構造に代えて、平行な２本の金属支柱の互いに離間する方向の弾性復元力によってシンク用スタンドを収納ボックスに着脱可能に取り付ける構造を採用したため、シンク用スタンドの形状や幅寸法に制約を伴うことなく、該シンク用スタンドを収納ボックスに簡単に取り付けることができる。又、シンクの上面にピンが露出することがないため、シンクの清掃性や意匠性が害されることがない。
【００１２】
請求項２及び３記載の発明によれば、シンク用スタンドの２本の金属支柱に内側の力を加えて両者を互いに近接する方向に押し縮めた状態で、これらの金属支柱に取り付けられたフックを収納ボックスの２本の金属縦棒に内側から係合させ、シンク用スタンドの金属支柱に加えられていた力を除けば、該金属支柱が互いに離間する方向の弾性復元力によって開かれるため、これらに取り付けられたフックが収納ボックスの２本の金属縦棒に内側から押圧されて係止され、これによってシンク用スタンドが収納ボックスに簡単且つ確実に取り付けられる。又、シンク用スタンドの２本の金属支柱に内側の力を再度加えて両者を互いに近接する方向に押し縮めると、収納ボックスの金属縦棒へのフックの係合が解除されるため、シンク用スタンドを収納ボックスから容易に取り外すことができる。
【００１３】
請求項４記載の発明によれば、シンク用スタンドの各金属支柱が保持部材を介してシンクの開口部周縁の一部によって保持されるため、該シンク用スタンドによって支持されるまな板等の重量の一部がシンクによっても受けられることとなり、シンク用スタンドは、比較的高重量のものであっても、倒れることなく確実に支持することができる。
【００１４】
請求項５記載の発明によれば、シンク用スタンドをまな板立てとすることによって、キッチン流し台において収納場所に苦慮していたまな板を所定の場所に収納することができ、キッチン流し台に広い作業スペースを確保して作業性の改善を図ることができる。
【発明を実施するための最良の形態】
【００１５】
以下に本発明の実施の形態を添付図面に基づいて説明する。
【００１６】
図１はシンクの側断面図、図２はまな板立ての取付構造を示すシンク要部の部分斜視図である。
【００１７】
図１に示すシンク１は、人口大理石の一体成形によって凹状に成形されたものであって、その開口部周縁のフランジ部１ａは、不図示のキッチンカウンタによって支持されている。そして、シンク１の底部の奥側（図１の右側）の幅方向中央には円孔状の排水口２が開口しており、この排水口２には不図示の排水トラップ及び排水管が接続されている。
【００１８】
又、図２に示すように、シンク１の奥側の前記排水口２を中心としてこれの左右には膨出部１ｂ，１ｃが一体に形成されており、一方の膨出部１ｂの上面には水栓３が取り付けられている。尚、図示しないが、水栓３には給水管及び給湯管が接続されている。
【００１９】
ところで、シンク１の奥側の前記左右の膨出部１ｂ，１ｃの間には凹状の空間が形成されており、この空間には、収納ボックスとしての矩形ボックス状の洗剤ポケット４が配置されている。この洗剤ポケット４は、前面がステンレス製のパンチングメタル４ａで構成され、左右両側面と後面及び底面は、ステンレス製の金属丸棒から成る複数の縦棒４ｂと横棒４ｃとで構成された格子枠で構成されている。尚、パンチングメタル４ａには、多数の矩形孔が穿設されている。
【００２０】
又、シンク１の奥側の後面壁（左右の膨出部１ｂ，１ｃの間の壁）１ｄは下方に向かって若干傾斜する略垂直な面を構成しており、この後面壁１ｄの上部左右には一対のピン５が所定の間隔を設けて水平に突設されている。
【００２１】
而して、前記洗剤ポケット４の後面を構成する格子枠の１つの横棒４ｃの左右には、半円状の係合凹部４ｃ−１が左右一対の前記ピン５の間隔と同じ間隔で形成されており、洗剤ポケット４は、シンク１の奥側の左右の膨出部１ｂ，１ｃ間に形成された空間に手前側から押し込んでその後面をシンク１の後面壁１ｄに突き当てた後、これに形成された左右一対の前記係合凹部４ｃ−１を左右のピン５に係合させることによって、シンク１の後壁面１ｄに着脱可能に取り付けられている。
【００２２】
そして、上記洗剤ポケット４には、シンク用スタンドとしてのまな板立て６が本発明に係る取付構造によって着脱可能に取り付けられるが、先ず、まな板立て６の構成の詳細を図３〜図７に基づいて説明する。尚、図３はまな板立ての正面図、図４は同まな板立ての側面図、図５は図３のＡ−Ａ線拡大断面図、図６はフックの斜視図、図７は保持部材の斜視図である。
【００２３】
まな板立て６は、図３及び図４に示すように、屈曲成形されたステンレス製の２本の金属丸棒７，８を溶着して構成されており、一方の金属丸棒７は、門形に成形された門型部７ａと、該門型部７ａの左右から水平に延びる水平部７ｂと、該水平部７ｂから略垂直下方に延びる金属支柱７ｃとで構成されている。ここで、金属丸棒７の左右の金属支柱７ｃは、シンク１の後面壁１ｄと同角度で若干傾斜して平行に配されており、その端部は何ら拘束されない自由端を構成している。
【００２４】
又、他方の金属丸棒８は、門形に成形された門型部８ａと、該門型部８ａの左右から水平に延びる水平部８ｂとで構成されており、その左右の水平部８ｂを前記金属棒７の左右の水平部７ｂの内側に当接させ、その当接部を溶着することによって、図２に示すように立体形状を成すまな板立て６の基本形が得られ、このまな板立て６には両金属棒７，８の門型部７ａ，８ａと水平部７ｂ，８ｂとで、まな板９を横置き状態で受けるための凹部６ａ（図４参照）が形成されている。
【００２５】
そして、以上のように屈曲成形された２本の金属丸棒７，８を接合一体化して基本形が構成されたまな板立て６の左右の金属支柱７ｃの下端部には、図３及び図４に示すように、ステンレス板を平面視Ｓ字状に成形して得られるフック１０が溶着されている。ここで、各金属支柱７ｃにおいては、図５及び図６に示すように、フック１０の半円状凹部１０ａが金属支柱７ｃに嵌め込まれて溶着されており、各フック１０の平面部１０ｂは金属支柱７ｃの外側方に向かって突出している。又、左右のフック１０の間隔は、該フック１０が係止される前記洗剤ポケット４の２本の金属縦棒４ｂの間隔よりも大きく設定されている。
【００２６】
又、まな板立て６の左右の金属支柱７ｃの前記フック１０の上方には、図３及び図４に示すように、樹脂製のブロック体状の保持部材１１が嵌め込まれて固定されている。ここで、各保持部材１１には、図７に示すように、金属支柱７ｃに嵌め込まれるべき平断面半円状の嵌合溝１１ａが縦方向に貫設されるとともに、シンク１の開口部周縁のコーナー部に嵌合するＲ状の嵌合凹部１１ｂが形成されている。
【００２７】
次に、以上のように構成されたまな板立て６の洗剤ポケット４への取付要領を図８〜図１０に基づいて説明する。尚、図８〜図１０はまな板立ての取付要領をその工程順に示す部分斜視図である。
【００２８】
まな板立て６を洗剤ポケット４に取り付けるには、図８に示すように、まな板立て６の平行な２本の金属支柱７ｃを両手で把持し、これらに内側の力を加えて両者を互いに近接する方向に押し縮めた状態で、これらの金属支柱７ｃに取り付けられたフック１０を洗剤ポケット４の２本の金属縦棒４ｂに内側から係合させる。ここで、前述のように、左右のフック１０の間隔は、該フック１０が係止される洗剤ポケット４の２本の金属縦棒４ｂの間隔よりも大きく設定されているため、その後、まな板立て６の金属支柱７ｃに加えられていた力を除けば、図９に示すように、該金属支柱７ｃが互いに離間する方向の弾性復元力によって開かれ、これらに取り付けられたフック１０が図１０に示すように洗剤ポケット４の２本の金属縦棒４ｂに内側から押圧されて係止され、これによってまな板立て６が図２に示すように洗剤ポケット４に簡単且つ確実に取り付けられる。
【００２９】
又、上述のようにしてまな板立て６の２本の金属支柱７ｃに内側の力を再度加えて両者を互いに近接する方向に押し縮めると、洗剤ポケット４の金属縦棒４ｂへのフック１０の係合が解除されるため、まな板立て６を洗剤ポケット４から容易に取り外すことができる。
【００３０】
以上のように、本発明によれば、シンクの上面に突設された一対のピンにシンク用スタンドを係止させる従来の取付構造に代えて、平行な２本の金属支柱７ｃの互いに離間する方向の弾性復元力によってまな板立て６を洗剤ポケット４に着脱可能に取り付ける構造を採用したため、まな板立て６の形状や幅寸法に制約を伴うことなく、該まな板立て６を洗剤ポケット４に簡単に取り付けることができる。そして、シンク１の上面にピン５が露出することがないため、シンク１の清掃性や意匠性が害されることがない。
【００３１】
又、本発明に係る取付構造によれば、まな板立て６の各金属支柱７ｃが保持部材１１を介してシンクの開口部周縁の一部によって保持されるため、該まな板立て６によって支持されるまな板９の重量の一部がシンク１によっても受けられることとなり、まな板立て６は、比較的高重量のまな板９を倒れることなく確実に支持することができる。
【００３２】
更に、従来、キッチン流し台において収納場所に苦慮していたまな板９を所定の場所に収納することができ、キッチン流し台に広い作業スペースを確保して作業性の改善を図ることができるという効果も得られる。
【００３３】
尚、以上は本発明を特にまな板立てに適用した形態について説明したが、本発明は、まな板立て以外の他の任意のシンク用スタンド、例えばふきん掛け、レードル類掛け、包丁立て等の取付構造に対しても同様に適用可能であることは勿論である。
【図面の簡単な説明】
【００３４】
【図１】シンクの側断面図である。
【図２】本発明に係るまな板立ての取付構造を示すシンク要部の部分斜視図である。
【図３】まな板立ての正面図である。
【図４】まな板立ての側面図である。
【図５】図３のＡ−Ａ線拡大断面図である。
【図６】フックの斜視図である。
【図７】保持部材の斜視図である。
【図８】まな板立ての取付要領を示す部分斜視図である。
【図９】まな板立ての取付要領を示す部分斜視図である。
【図１０】まな板立ての取付要領を示す部分斜視図である。
【符号の説明】
【００３５】
１          シンク
１ａ        シンクのフランジ部
１ｂ，１ｃ  シンクの膨出部
１ｄ        シンクの後面壁
２          排水口
３          水栓
４          洗剤ポケット（収納ボックス）
４ａ        洗剤ポケットのパンチングメタル
４ｂ        洗剤ポケットの金属縦棒
４ｃ        洗剤ポケットの金属横棒
４ｃ−１    洗剤ポケットの係合凹部
５          ピン
６          まな板立て（シンク用スタンド）
７，８      金属棒
７ａ，８ａ  金属棒の門型部
７ｂ，８ｂ  金属棒の水平部
７ｃ        金属棒の金属支柱
９          まな板
１０        フック
１０ａ      フックの半円状凹部
１０ｂ      フックの平面部
１１        保持部材
１１ａ      保持部材の嵌合溝
１１ｂ      保持部材の嵌合凹部
【図１】
2008008062.tif 000003
【図２】
2008008062.tif 000004
【図３】
2008008062.tif 000005
【図４】
2008008062.tif 000006
【図５】
2008008062.tif 000007
【図６】
2008008062.tif 000008
【図７】
2008008062.tif 000009
【図８】
2008008062.tif 000010
【図９】
2008008062.tif 000011
【図１０】
2008008062.tif 000012